【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
収納体に収納されて、流体に対し流動特性を与える内部構造体であって、
内部構造体は、断面が円形の共通の軸体部材上に一体化して形成されている拡散部分と、流動特性付与部分とを有し、
拡散部分は、流入される流体を軸体部材の半径方向に拡散させ、
流動特性付与部分は、拡散部分より下流側に位置し、拡散された流体が流れる外周面に複数の突出部を有し、複数の突出部の間にある流路の断面積が、上流の流路の断面積より小さく、複数の突出部の間にある流路を流れる流体の静圧力を低くすることにより、キャビテーション現象を誘発して、微小バブルを発生させることを特徴とする、
内部構造体。
【請求項２】
内部構造体は、共通の軸部材上の拡散部分と流動特性付与部分との間に、更に、渦巻発生部分を有し、渦巻発生部分は、拡散部分によって拡散された流体に渦巻流を発生させるようにし、流動特性付与部分は、渦巻発生部分からの渦巻流となった流体が与えられることを特徴とする内部構造体。
【請求項３】
渦巻発生部分の軸方向における拡散部分の長さが、渦巻発生部分の軸方向における渦巻発生部分の長さより短いことを特徴とする、
請求項２に記載の内部構造体。
【請求項４】
拡散部分は、円錐形に形成されている内部構造体の一端部であることを特徴とする請求項１又は２に記載の内部構造体。
【請求項５】
拡散部分は、ドーム形に形成されている内部構造体の一端部であることを特徴とする請求項１又は２に記載の内部構造体。
【請求項６】
渦巻発生部分は、三つの翼を含み、翼の各々は、その先端が軸部分の円周方向に互いに１２０°ずつずらしていることを特徴とする請求項２に記載の内部構造体。
【請求項７】
流動特性付与部分は、円形の断面を有する軸部分と、その外周面に多数の突出部とを含むことを特徴とする請求項１又は２に記載の内部構造体。
【請求項８】
多数の突出部は網状に形成されていることを特徴とする請求項７に記載の内部構造体。
【請求項９】
内部構造体は、流動特性付与部分より下流側に、流体を流れの中心に向かって誘導する誘導部分を更に含み、拡散部分、渦巻発生部分、流動特性付与部分とともに、誘導部分は、共通の軸体部材上に一体的化して形成されていることを特徴とする請求項１又は２に記載の内部構造体。
【請求項１０】
誘導部分は、ドーム形に形成されている内部構造体の一端部であることを特徴とする請求項９に記載の内部構造体。
【請求項１１】
誘導部分は、円錐形に形成されている内部構造体の一端部であることを特徴とする請求項９に記載の内部構造体。
【請求項１２】
請求項１から１１のいずれかの内部構造体が収納された収納体に、冷却液を流入し、所定の流動特性を与えてから工具や被加工物に吐出させて、冷却するようにした工作機械。
【請求項１３】
請求項１から１１のいずれかの内部構造体が収納された収納体に、水や湯を流入し、所定の流動特性を与えてから吐出させるようにして洗浄効果を高めるようにしたシャワーノズル。
【請求項１４】
請求項１から１１のいずれかの内部構造体が収納された収納体に、複数の異なる特性の流体を流入し、所定の流動特性を与えて、この複数の流体を混合したのち吐出させるようにした流体混合装置。
【請求項１５】
円筒形の中空の管の形態を有する収納体に収納されて、流体に対し流動特性を与える内部構造体であって、
内部構造体は、断面が円形の共通の軸体部材上に一体化して形成されている拡散部分と、流動特性付与部分とを有し、収納体の管の内面と内部構造体の外周面との間で流体の流路が形成され、
拡散部分は、流入される流体を軸体部材の半径方向に拡散させ、
流動特性付与部分は、拡散部分より下流側に位置し、拡散された流体が流れる外周面に網状の複数の突出部を有し、複数の突出部の間にある流路の断面積が、上流の流路の断面積より小さく、複数の突出部の間にある流路を流れる流体の静圧力を低くすることにより、キャビテーション現象を誘発して、微小バブルを発生させることを特徴とする、
内部構造体。
【請求項１６】
円筒形の中空の管の形態を有する収納体に収納されて、流体に対し流動特性を与える内部構造体であって、
内部構造体は、断面が円形の共通の軸体部材上に一体化して形成されている拡散部分と、渦巻発生部分と、流動特性付与部分とを有し、収納体の管の内面と内部構造体の外周面との間で流体の流路が形成され、
拡散部分は、流入される流体を軸体部材の半径方向に拡散させ、
渦巻発生部分は、拡散部分によって拡散された流体に渦巻流を発生させるようにし、
流動特性付与部分は、渦巻発生部分からの渦巻流となった流体が流れる外周面に網状の複数の突出部を有し、複数の突出部の間にある流路の断面積が、上流の流路の断面積より小さく、複数の突出部の間にある流路を流れる流体の静圧力を低くすることにより、キャビテーション現象を誘発して、微小バブルを発生させることを特徴とする、
内部構造体。
【手続補正２】
【補正対象書類名】明細書
【補正対象項目名】０００８
【補正方法】変更
【補正の内容】
【０００８】
本発明は、上述の課題を解決するため、次のような構成にしてある。即ち、収納体に収納されて、流体に対し流動特性を与える内部構造体である。内部構造体は、断面が円形の共通の軸体部材上に一体化して形成されている拡散部分と、流動特性付与部分とを有する。拡散部分は、流入される流体を軸体部材の半径方向に拡散させ、流動特性付与部分は、拡散部分より下流側に位置し、拡散された流体が流れる外周面に複数の突出部を有し、複数の突出部の間にある流路の断面積が、上流の流路の断面積より小さく、複数の突出部の間にある流路を流れる流体の静圧力を低くすることにより、キャビテーション現象を誘発して、微小バブルを発生させる。
また、本発明のひとつの実施形態によれば、円筒形の中空の管の形態を有する収納体に収納されて、流体に対し流動特性を与える内部構造体である。内部構造体は、断面が円形の共通の軸体部材上に一体化して形成されている拡散部分と、流動特性付与部分とを有し、収納体の管の内面と内部構造体の外周面との間で流体の流路が形成される。拡散部分は、流入される流体を軸体部材の半径方向に拡散させ、流動特性付与部分は、拡散部分より下流側に位置し、拡散された流体が流れる外周面に網状の複数の突出部を有し、複数の突出部の間にある流路の断面積が、上流の流路の断面積より小さく、複数の突出部の間にある流路を流れる流体の静圧力を低くすることにより、キャビテーション現象を誘発して、微小バブルを発生させる。
更に、本発明の他の実施形態によれば、円筒形の中空の管の形態を有する収納体に収納されて、流体に対し流動特性を与える内部構造体である。内部構造体は、断面が円形の共通の軸体部材上に一体化して形成されている拡散部分と、渦巻発生部分と、流動特性付与部分とを有し、収納体の管の内面と内部構造体の外周面との間で流体の流路が形成される。拡散部分は、流入される流体を軸体部材の半径方向に拡散させ、渦巻発生部分は、拡散部分によって拡散された流体に渦巻流を発生させるようにし、流動特性付与部分は、渦巻発生部分からの渦巻流となった流体が流れる外周面に網状の複数の突出部を有し、複数の突出部の間にある流路の断面積が、上流の流路の断面積より小さく、複数の突出部の間にある流路を流れる流体の静圧力を低くすることにより、キャビテーション現象を誘発して、微小バブルを発生させる。